(57)【要約】【課題】第二種の遊技機において、図柄表示部の演出効果を高め、趣向性の向上を図ることができる遊技機を提供する。【解決手段】開閉羽根２１，２２が開放されたときに、遊技球が入賞すると、第１ステージ２３上を転がり、誘導溝２３ａに入り開口部２４ａに入るか、開口部２３ａに入る。開口部２４ａに入った遊技球は、案内樋２４を通って、排出口２４ｂから第２ステージ２７上に案内され、遊技球は、第２ステージ２７上を前側に転がり、左右方向に移動している可動部材３０のＶ入賞口３４に入賞すると、可動部材３０内を後側に案内されて、図示外の特別装置作動領域に案内されて、後述するＶスイッチにより遊技球が検出されるようになっている。エレクトロルミネッセンスディスプレイ３３には、Ｖ入賞口３４に遊技球が入賞したとき等には、各種の図柄等が表示されるようになっている。【選択図】  図４
2004181143.tif 000002
【特許請求の範囲】
【請求項１】
遊技球が流下する遊技盤の中央部に設けられ、開閉羽根を側面に備えた第二種電動役物と、
当該第二種電動役物内に設けられ、遊技球を検出する特別装置作動領域への遊技球の案内口が形成された可動部材と、
当該特別装置作動領域に設けられた遊技球検出手段が遊技球を検出したときに、図柄表示部に表示する当たり図柄を制御する図柄表示制御手段と、
当該可動部材の遊技者に対向する側の面に設けられた図柄表示部と
を備え、
当該図柄表示部はエレクトロルミネッセンスディスプレイから構成されていることを特徴とする遊技機。
【請求項２】
前記エレクトロルミネッセンスディスプレイは、有機エレクトロルミネッセンスディスプレイ又は無機エレクトロルミネッセンスディスプレイから構成されていることを特徴とする請求項１に記載の遊技機。
【発明の詳細な説明】
【０００１】
【発明の属する技術分野】
本発明は、パチンコ機、パチコン機等の遊技機に関するものであり、開閉羽根を備えた第二種の遊技機に関する。
【０００２】
【従来の技術】
従来の遊技機、例えばパチンコ機では、遊技盤の中央に設けた中央役物の左右両側面に羽根を設けて、遊技盤の下部に設けた始動口へ遊技球が入賞すると羽根を開閉させて、その羽根に遊技球が拾われた場合に、中央役物内を遊技球が流下して、所謂Ｖゾーンに遊技球が入賞すると、繰り返し羽根を開放して、遊技者が遊技球を多数獲得できる所謂「羽根物」又は「第二種」と言われる遊技機も知られている（例えば、特許文献１参照。）。この従来の遊技機では、遊技球がＶゾーンに入賞して、大当たり状態となった場合に、各種の表示を行う図柄表示部を中央役物の上部に設け、この図柄表示部は、発光ダイオード（ＬＥＤ）の集合体や液晶（ＬＣＤ）から構成されていた。
【０００３】
【特許文献１】
特開平６−２８５２３２公報
【０００４】
【発明が解決しようとする課題】
しかしながら、この従来の遊技機では、中央役物の上部に設けた図柄表示部が平面状で固定されており、第二種の遊技機として、遊技者が驚くような演出を行えず、遊技者が遊技機の表示部に表示される背景、図柄の変動及びキャラクター等に飽きてしまい易いという問題点があった。
【０００５】
本発明は、上記課題を解決するためになされたものであり、第二種の遊技機において、図柄表示部を移動可能として、演出効果を高め、遊技の趣向性の向上を図ることができる遊技機を提供することを目的とする。
【０００６】
【課題を解決するための手段】
上記課題を解決するため、請求項１に係る発明の遊技機では、遊技球が流下する遊技盤の中央部に設けられ、開閉羽根を側面に備えた第二種電動役物と、当該第二種電動役物内に設けられ、遊技球を検出する特別装置作動領域への遊技球の案内口が形成された可動部材と、当該特別装置作動領域に設けられた遊技球検出手段が遊技球を検出したときに、図柄表示部に表示する当たり図柄を制御する図柄表示制御手段と、当該可動部材の遊技者に対向する側の面に設けられた図柄表示部とを備え、当該図柄表示部はエレクトロルミネッセンスディスプレイから構成されていることを特徴とする構成となっている。
【０００７】
この構成の遊技機では、開閉羽根を側面に備えた第二種電動役物内に設けられた可動部材の遊技者に対向する側の面に設けられた図柄表示部が、エレクトロルミネッセンスディスプレイから構成されているので、図柄表示部が移動するので、演出効果を高めることができる。
【０００８】
また、請求項２に係る発明の遊技機は、請求項１に記載の発明の構成に加えて、前記エレクトロルミネッセンスディスプレイは、有機エレクトロルミネッセンスディスプレイ又は無機エレクトロルミネッセンスディスプレイから構成されていることを特徴とする。
【０００９】
この構成の遊技機では、請求項１に記載の発明の作用に加えて、図柄表示部は、有機エレクトロルミネッセンスディスプレイ又は無機エレクトロルミネッセンスディスプレイから構成されているので、可動部材や小さな部分に図柄表示部を設けることができる。
【００１０】
尚、本発明の遊技機では、特別装置作動領域に設けられた遊技球検出手段が遊技球を検出したときに、図柄表示部に表示する当たり図柄を制御する図柄表示制御手段を備えても良い。特別装置作動領域に設けられた遊技球検出手段が遊技球を検出したときに、この図柄表示制御手段により図柄表示部に表示する当たり図柄が制御されるので、遊技の趣向性を高めることが可能となる。
【００１１】
【発明の実施の形態】
以下、本発明に係る遊技機の一実施の形態について図面を参照して説明する。
まず、パチンコ機１についての機械的構成の概略について図１及び図２を参照して説明する。図１はパチンコ機１の正面図であり、図２は遊技盤２の正面図である。図１に示すように、パチンコ機１の正面の上半分の部分には、遊技盤２が設けられ、遊技盤２には、ガイドレール３で囲まれた略円形の遊技領域４が設けられている。パチンコ機１の遊技盤２の下方部には、図示外の発射機に遊技球を供給し、且つ賞品球を受ける上皿５が設けられ、上皿５の直下には、賞品球を受ける下皿６が設けられ、下皿６の右横には発射ハンドル７が設けられている。また、上皿５と下皿６との間には、スピーカ４８が設けられている。
【００１２】
図２に示す遊技盤２の遊技領域４の略中央には、正面視略長方形で、遊技者に対向する面が開放された箱状の第二種電動役物８が設けられている。この第二種電動役物８の両側面には、開閉羽根２１，２２が設けられている。この開閉羽根２１，２２は通常時は閉じており、後述する始動入賞口１８〜２０への遊技球の入賞により開閉されるようになっている。
【００１３】
また、第二種電動役物８の右斜め上方には風車９が設けられ、左斜め上方にも風車１０が設けられている。さらに、第二種電動役物８の右側には風車１１が設けられ、第二種電動役物８の左側には風車１２が設けられている。
【００１４】
また、第二種電動役物８の直下には、始動入賞口１８が設けられており、その始動入賞口１８の右側には始動入賞口１９が設けられ、始動入賞口１８の左側には始動入賞口２０が設けられている。始動入賞口１８に遊技球が１つ入賞すると第二種電動役物８の開閉羽根２１，２２が２回、連続して開閉され、始動入賞口１９又は始動入賞口２０に遊技球が１つ入賞すると第二種電動役物８の開閉羽根２１，２２が１回開閉されるようになっている。
【００１５】
また、始動入賞口１８の直下には、入賞しなかった遊技球を回収するアウト口１７が設けられ、風車１１の右側には普通入賞口１３が設けられ、風車１１の下側には普通入賞口１５が設けられ、風車１２の左側には普通入賞口１４が設けられ、風車１２の下側には普通入賞口１６が設けられている。普通入賞口１３〜１６に遊技球が１つ入賞すると、５球賞球されるようになっている。
【００１６】
次に、図３乃至５を参照して、第二種電動役物８の構造を説明する。図３は、第二種電動役物８の正面図であり、図４は、第二種電動役物８の斜視図であり、図５は、第二種電動役物８の可動部材３０の斜視図である。
【００１７】
図３及び図４に示すように、第二種電動役物８は、正面視、縦長の長方形に形成され、遊技者に対向する面が開放された直方体の箱状に形成されている。第二種電動役物８の右側面には開閉羽根２１が開閉可能に設けれ、第二種電動役物８の左側面には開閉羽根２２が開閉可能に設けれている。尚、通常時は、開閉羽根２１，２２は、閉じた状態になっており、開閉羽根２１が開放されると開口部２１ａが開口され、開閉羽根２２が開放されると開口部２２ａが開口されるようになっている。
【００１８】
また、図４に示すように、第二種電動役物８内には、第１ステージ２３が形成され、開口部２１ａ，２２ａから入賞した遊技球が転がるようになっている。この第１ステージ２３は、後側に向けて僅かに傾斜しており、遊技球は後側へ転がるようになっている。また、第１ステージ２３の中央部には、後側に向かって傾斜した誘導溝２３ａが形成され、誘導溝２３ａの後端部には、開口部２４ａが穿設されており、遊技球が入賞可能となっている。この開口部２４ａには、入賞した遊技球を案内する案内樋２４が接続され、案内樋２４は、後述する第２ステージ２７に向けて、第１ステージ２３から垂直に延設されている。尚、第１ステージ２３の奥側には、開口部２４ａに入賞しなかった遊技球を回収するために長方形に形成された開口部２３ｂが形成されている。
【００１９】
また、図４に示すように、第１ステージ２３の下方には、第２ステージ２７が形成されている。この第２ステージ２７は、前側（遊技者に対向する側）に向けて僅かに傾斜しており、平面視、円弧状に形成されている。第２ステージ２７上には、開口部２４ａに入賞した遊技球を案内する案内樋２４の排出口２４ｂが形成されており、排出口２４ｂから排出された遊技球は、第２ステージ２７上を前側（遊技者に対向する側）に転がるようになっている。
【００２０】
また、図４に示すように、第２ステージ２７の下方には、可動部材３０が設けられている。この可動部材３０は、内部が空洞の四角柱から形成され、第二種電動役物８内で、左右方向に回動可能となっている。また、可動部材３０の前側（遊技者に対向する側）の端面には、エレクトロルミネッセンスディスプレイ３３が固着されており、このエレクトロルミネッセンスディスプレイ３３は、有機エレクトロルミネッセンスディスプレイ又は無機エレクトロルミネッセンスディスプレイから構成されている。従って、可動部材３０の端面のエレクトロルミネッセンスディスプレイ３３には、各種の図柄が表示可能となっている。
【００２１】
また、可動部材３０の上面の前側（遊技者に対向する側）には、遊技球が入賞可能なＶ入賞口３４が形成されており、このＶ入賞口３４に入賞した遊技球は、可動部材３０内を後側に案内されて、図示外の特別装置作動領域に案内されて、後述するＶスイッチにより遊技球が検出されるようになっている。
【００２２】
次に、図５を参照して、可動部材３０の構造を説明する。図５に示すように、可動部材３０の後端側には、回動軸部３０ａが形成され、回動軸部３０ａには、モータ３１の軸３２が直結されている。このモータ３１の軸３２を所定範囲で回転を反転することにより、可動部材３０を回動軸部３０ａを中心として、左右方向に回動可能となっている。尚、モータ３１は、ステップモータを用いても良いし、直流モータを用いてＰＷＭ制御しても良い。また、モータ３１の軸３２と回動軸部３０ａとの間に、ギア機構等を設けて、モータ３１の軸３２が一方向に回転しても、可動部材３０は、左右に往復するように回動されるようにしても良い。尚、可動部材３０の下面の回動軸部３０ａの近傍には、遊技球の排出口３５が設けられている。尚、図示しないが、可動部材３０には、エレクトロルミネッセンスディスプレイ３３への信号線等も設けられている。
【００２３】
また、図４に示すように、第二種電動役物８の最下部には、後側に傾斜した底面３６が設けられ、底面３６の後側には、可動部材３０のＶ入賞口３４に入賞しなかった遊技球を回収するための開口部３６ａが設けられている。
【００２４】
従って、第二種電動役物８の開閉羽根２１，２２が開放されたときに、遊技球が開口部２１ａ，２２ａから第二種電動役物８内に入賞すると、遊技球は、第１ステージ２３上を転がり、誘導溝２３ａに入り開口部２４ａに入るか、開口部２３ｂに入る。開口部２４ａに入った遊技球は、案内樋２４を通って、排出口２４ｂから第２ステージ２７上に案内される。開口部２３ｂに入った遊技球は、図示外の案内樋により第二種電動役物８外に案内される。第２ステージ２７上に案内された遊技球は、第２ステージ２７上を前側に転がり、左右方向に移動している可動部材３０のＶ入賞口３４に入賞するか、底面３６に落ちることになる。可動部材３０のＶ入賞口３４に入賞した遊技球は、可動部材３０内を後側に案内されて、図示外の特別装置作動領域に案内されて、後述するＶスイッチ７４により遊技球が検出されるようになっている。また、底面３６に落ちた遊技球は開口部３６ａにより回収されて、第二種電動役物８外に案内される。尚、エレクトロルミネッセンスディスプレイ３３には、Ｖ入賞口３４に遊技球が入賞してＶスイッチ７４により遊技球が検出されたとき等には、各種の図柄等が表示されるようになっている。
【００２５】
次に、本実施の形態のパチンコ機１の電気的構成について図６を参照して説明する。図６はパチンコ機１の電気的回路構成を示すブロック図である。パチンコ機１の制御部４０はパチンコ機１の裏側に設けられ、この制御部４０は、主基板４１、電源基板４２、音基板４３、図柄表示基板４４、払出制御基板４５、電飾基板４６、中継基板４７から構成され、主基板４１には、プログラムに従って各種の処理を行うＣＰＵユニット５０が設けられている。このＣＰＵユニット５０には、各種の演算処理を行うＣＰＵ５１、フラグや乱数値やデータ等を記憶するＲＡＭ５２と、制御プログラム及び各種の初期値のデータや第二種電動役物８への表示内容を指示するコマンドのデータ等を記憶したＲＯＭ５３とが設けられており、これらは一つのＬＳＩとして一体にモールディングされている。
【００２６】
また、ＣＰＵユニット５０には、割込リセット回路５７が接続され、割込リセット回路５７は、０．００２秒（以下、「２ｍｓ」と略す。）毎に、割込信号をＣＰＵ５１に与えるようになっており、ＣＰＵ５１は、ＲＯＭ５３に記憶された制御プログラムに従って、パチンコ機１の制御を行う。尚、ＣＰＵ５１の一例としては、８ビット、１６ビット、３２ビット、６４ビット等のＣＰＵが使用されている。
【００２７】
また、主基板４１には、音基板４３、図柄表示基板４４、払出制御基板４５、電飾基板４６、中継基板４７等とデータ信号の送受信を行うＩ／Ｏインターフェース５４が設けられている。このＩ／Ｏインターフェース５４には、図示外の遊技場管理用コンピュータにパチンコ機１の情報を出力する出力ポート５５と、大当たり判定用に用いられる乱数等を発生するハード乱数回路８０とが接続されている。ハード乱数回路８０は、フリップフロップ回路により構成され、数ナノ秒ごとに更新される乱数を発生するようになっている。ハード乱数回路８０による乱数発生の詳細は、周知であり、例えば特許第２７５０８０８号公報に記載されているので、ここでは、説明は省略する。
【００２８】
ここで、図７を参照して、図柄表示基板４４の電気的構成について説明する。
図７は、図柄表示基板４４の電気的構成を示すブロック図である。図７に示すように、図柄表示基板４４には、主基板４１（図６参照）からのコマンドを受信する入力インターフェース４４ｂが設けられており、入力インターフェース４４ｂには、図柄表示基板４４の制御を司るＣＰＵ４４ａが接続され、ＣＰＵ４４ａには、受信したコマンドデータ等を記憶するＲＡＭ４４ｃと、第二種電動役物８の可動部材３０に設けられたエレクトロルミネッセンスディスプレイ３３に変動表示される図柄の図柄パターン、表示される背景図柄及びキャラクターのデータ等を記憶したＲＯＭ４４ｄと、エレクトロルミネッセンスディスプレイ３３を駆動するＥＬ駆動回路４４ｅと、モータ３１を駆動するモータ駆動回路４４ｆとが接続されている。従って、図柄表示基板４４では、主基板４１から受信した図柄変動に関するベース変動コマンド、変動パターンコマンド、停止図柄コマンド、図柄切り替えコマンド等に基づいて、ＣＰＵ４４ａがＥＬ駆動回路４４ｅを制御して、エレクトロルミネッセンスディスプレイ３３に表示される図柄の変動を制御する。
【００２９】
また、図６に示すように、音基板４３、払出制御基板４５、及び電飾基板４６にも、ＣＰＵ（図示外）、ＲＡＭ（図示外）、ＲＯＭ（図示外）、入力インターフェース（図示外）等が各々搭載されている。尚、図６に示す主基板４１はパチンコ機１の主制御を司り、電源基板４２は各基板に直流電流を供給し、音基板４３はパチンコ機１の効果音の発生を制御し、払出制御基板４５は賞品球払出装置４９の制御を行い、電飾基板４６はパチンコ機１の各電飾の発光態様を制御し、中継基板４７は、各センサーの配線の中継を行っている。
【００３０】
尚、電飾基板４６には、図６に示すように、ＬＥＤ６２及び電飾ランプ６３が接続され、また、図柄表示基板４４にはエレクトロルミネッセンスディスプレイ３３及びモータ３１が接続され、また、音基板４３には、スピーカ４８が接続され、また、払出制御基板４５には、賞品球払出装置４９が接続されている。さらに、中継基板４７には、開閉羽根開放ソレノイド７１、始動入賞口１８〜２０に入賞した遊技球を検出する始動口スイッチ７２、Ｖ入賞口３４に入賞した遊技球を検出するＶスイッチ７４、第二種電動役物８に入賞して、Ｖ入賞口３４に入賞しなかった遊技球数を計数するためのカウントスイッチ７５、普通入賞口１３〜１６に入賞して図示外の案内通路により入賞球集合部に集められた入賞球を検出する入賞口スイッチ７６、アウト口１７に入ったアウト球数をカウントするアウト球カウントスイッチ７７が接続されている。
【００３１】
また、電源基板４２は、図６に示すように、主基板４１、音基板４３、図柄表示基板４４、払出制御基板４５、電飾基板４６に各々接続されて、直流の安定化された電力が供給されるようになっている。尚、電源基板４２には、交流２４Ｖが供給されている。電源基板４２には、図示外のシリコンダイオードブリッジからなる整流器、電解コンデンサからなる平滑回路、レギュレータＩＣからなる安定化回路等が設けられており、安定化された直流の１２Ｖ及び５Ｖ等を供給できるようになっている。尚、図６では、特に図示しないが、主基板４１、電源基板４２、音基板４３、図柄表示基板４４、払出制御基板４５、電飾基板４６、中継基板４７は、全て、アースラインで接続されている。
【００３２】
以上説明したように、上記の実施の形態では、第二種のパチンコ機１において、第二種電動役物８内で、Ｖ入賞口３４を備え、左右方向に移動する可動部材３０の前端部にエレクトロルミネッセンスディスプレイ３３が設けられているので、エレクトロルミネッセンスディスプレイ３３に各種の図柄等を表示することにより、遊技の趣向性を高めることができる。
【００３３】
【発明の効果】
以上説明したように、請求項１に係る発明の遊技機では、開閉羽根を側面に備えた第二種電動役物内に設けられた可動部材の遊技者に対向する側の面に設けられた図柄表示部が、エレクトロルミネッセンスディスプレイから構成されているので、図柄表示部が移動するので、演出効果を高めることができる。
【００３４】
また、請求項２に係る発明の遊技機は、請求項１に記載の発明の効果に加えて、図柄表示部は、有機エレクトロルミネッセンスディスプレイ又は無機エレクトロルミネッセンスディスプレイから構成されているので、可動部材や小さな部分に図柄表示部を設けることができる。
【図面の簡単な説明】
【図１】図１は、パチンコ機１の正面図である。
【図２】図２は、遊技盤２の正面図である。
【図３】図３は、第二種電動役物８の正面図である。
【図４】図４は、第二種電動役物８の斜視図である。
【図５】図５は、第二種電動役物８の可動部材３０の斜視図である。
【図６】図６は、パチンコ機１の電気的回路構成を示すブロック図である。
【図７】図７は、図柄表示基板４４の電気的構成を示すブロック図である。
【符号の説明】
１      パチンコ機
２      遊技盤
７      発射ハンドル
８      第二種電動役物
１８      始動入賞口
１９      始動入賞口
２０      始動入賞口
２１      開閉羽根
２２      開閉羽根
２３      第１ステージ
２３ａ    誘導溝
２３ａ    開口部
２３ｂ    開口部
２４      案内樋
２４ａ    開口部
２４ｂ    排出口
２７      第２ステージ
３０      可動部材
３０ａ    回動軸部
３１      モータ
３３      エレクトロルミネッセンスディスプレイ
４０      制御部
４１      主基板
４３      音基板
４４      図柄表示基板
４４ｅ    駆動回路
４４ｆ    モータ駆動回路
４５      払出制御基板
４６      電飾基板
４８      スピーカ
７１      開閉羽根開放ソレノイド
【図１】
2004181143.tif 000003
【図２】
2004181143.tif 000004
【図３】
2004181143.tif 000005
【図４】
2004181143.tif 000006
【図５】
2004181143.tif 000007
【図６】
2004181143.tif 000008
【図７】
2004181143.tif 000009